(57)【特許請求の範囲】
【請求項１】
スクイズ性を有する容器本体（２８）の口筒部（３０）に不動に組付き、頂板（４）に注出筒片（５）を開放立設すると共に、内周面上部に螺合機能部（８）を刻設した装着筒片（７）を上下に開放突設したキャップ本体（２）の後端に、前記注出筒片（５）を開閉する蓋体（９）を、ヒンジ（１３）を介して回動可能に連結したキャップ体（１）と、前記口筒部（３０）への密嵌入組付き状態を前記キャップ本体（２）で保持された有底筒形状の本体筒（１５）の底壁の、前記装着筒片（７）に対応した位置に、該装着筒片（７）の下端との間に開放部（１８）を有するように軸筒片（１７）を開放立設した計量体（１４）と、前記装着筒片（７）の下端部及び軸筒片（１７）に密嵌入する回動筒（２２）の上部外周に、前記螺合機能部（８）に螺合する螺合部（２４）を刻設すると共に、下部の前記開放部（１８）に対向する部分に一つの計量注出口（２３）を開設し、前記回動筒（２２）の上端に回動操作用の摘み頭片（２５）を一体設した昇降変位可能な設定筒体（２１）と、上端開口部を前記軸筒片（１７）の下端に接続し、下端開口部を前記容器本体（２８）の底部に位置させた吸い上げパイプ（２７）と、から成る計量注出キャップ。
【請求項２】
計量体(14)の本体筒(15)を、容器本体(28)の口筒部(30)に密嵌入する下半分上に、前記口筒部(30)の上端面上に載置する段部(16)を介して、上半分を拡径連設して構成し、該上半分の上端をキャップ本体(2)の頂板(4)下面に突き当てた請求項１記載の計量注出キャップ。
【発明の詳細な説明】
【０００１】
【発明の属する技術分野】
本発明は、スクイズ性を有する容器本体に収納された内容液を、所望する任意の注出量に設定して計量注出する計量注出キャップに関するものである。
【０００２】
【従来の技術】
スクイズ性を有する容器本体に収納された内容液を、所望する任意の注出量に計量してから注出する技術として実開昭６１−９７１３８号公報に開示された技術がある。
【０００３】
この従来技術は、スクイズ性容器本体の口部に嵌着するカップ状の計量体（中栓本体）の底板に、内周面にネジを刻設した支持筒体を開放立設すると共に、この支持筒体内に、上端部に鍔部および注出口を設けた設定筒体（注出筒体）を螺合により昇降変位に配設し、かつ支持筒体の下方に吸い上げパイプを接続して構成されている。
【０００４】
そして、この設定筒体を回動操作して昇降変位させることにより、注出口の高さ位置を任意に調節、設定し、もって所望する注出量を計量して注出するものとなっている。
【０００５】
【発明が解決しようとする課題】
しかしながら、上記した従来技術にあっては、注出量の設定操作時、および計量動作時には、計量室の上面全域が開放された状態となるので、ホコリ等の異物が計量室内に侵入する恐れがあり、適正で好ましい使用状況を安心して得ることが難しい、と云う問題があった。
【０００６】
また、計量時には、支持筒体と設定筒体との螺合部分が内容液中に没する状態となるので、この螺合部分に内容液が付着残留し、かつ乾燥してこびり付くことにより、注出量の設定操作時に、設定筒体が円滑に回動し難くなる恐れがある、と云う問題があった。
【０００７】
そこで、本発明は、上記した従来技術における問題点を解消すべく創案されたもので、計量室内にホコリ等の異物ができるだけ侵入しないようにすると共に、設定筒体を昇降させるための螺合部分が内容液に触れないようにすることを技術的課題とし、もって適正で好ましい使用状況を安心して得ることと、円滑な設定操作を得ることを目的とする。
【０００８】
【課題を解決するための手段】
上記技術的課題を解決する本発明の内、請求項１記載の発明の手段は、
スクイズ性を有する容器本体の口筒部に不動に組付き、頂板に注出筒片を開放立設すると共に、内周面上部に螺合機能部を刻設した装着筒片を上下に開放突設したキャップ本体の後端に、注出筒片を開閉する蓋体を、ヒンジを介して回動可能に連結したキャップ体を有すること、
容器本体の口筒部への密嵌入組付き状態を、キャップ本体で保持された有底筒形状の本体筒の底壁の、キャップ本体の装着筒片に対応した位置に、この装着筒片の下端との間に開放部を有するように軸筒片を開放立設して構成した計量体を有すること、
キャップ本体の装着筒片の下端部および計量体の軸筒片に密に嵌入する回動筒の上部外周に、キャップ本体の装着筒片の螺合機能部に螺合する螺合部を刻設すると共に、回動筒の下部の開放部に対向する部分に一つの計量注出口を開設し、この回動筒の上端に回動操作用の摘み頭片を一体設した昇降変位可能な設定筒体を有すること、
上端開口部を計量体の軸筒片の下端に接続し、下端開口部を容器本体の底部に位置させた吸い上げパイプを有すること、
にある。
【０００９】
使用に際しては、まず設定筒体の摘み頭片を回動操作して、この設定筒体を昇降変位させ、計量注出口を、所望する注出量に対応する任意の高さ位置に設定する。
【００１０】
次いで、容器本体の胴部を押圧して、内容液を吸い上げパイプから計量注出口および開放部を介して計量体内に押し上げ、かつオーバーフローさせた後、胴部の押圧を解除すると、計量注出口の下端よりも上位にある内容液は吸引されて容器本体内に戻り、計量体内に内容液が定量されて残る。
【００１１】
しかる後、容器本体を傾けて、計量体内に残った計量された内容液を注出筒片を介して注出する。
【００１２】
計量体の上面は、一部に注出筒片を開放立設したキャップ本体の頂板で覆われているので、計量操作時に内容液が外部に飛散したり、ホコリ等の異物が計量体内に侵入する恐れはない。
【００１３】
設定筒体を昇降変位させるための螺合部分は、設定筒体の回動筒上部とキャップ本体の装着筒片上部とに設けてあり、装着筒片の下端部に密嵌入する回動筒部分は計量注出口の上位に位置しているので、計量時にこの螺合部分が内容液中に没することは無く、よって内容液の付着残留やこびり付き等により設定筒体の回動が阻害される恐れは全く無い。
【００１４】
請求項２記載の発明は、請求項１記載の発明に、計量体の本体筒を、容器本体の口筒部に密に嵌入する下半分上に、容器本体の口筒部の上端面上に載置する段部を介して、上半分を拡径連設して形成し、この上半分の上端をキャップ本体の頂板下面に突き当てた構成、を加えたものである。
【００１５】
この請求項２記載の発明にあっては、計量体の容器本体口筒部への密嵌入組付き状態を、キャップ本体により強固に保持することができる。
【００１６】
【発明の実施の形態】
以下、本発明の一実施例を、図面を参照しながら説明する。
キャップ本体１は、スクイズ性を有する容器本体２８の口筒部３０に螺合により不動に組付く組付き筒３の頂板４の前部に注出筒片５を開放立設すると共に、頂板４の後部に、内周面上部に螺合機能部８（図示実施例の場合、螺条構造となっているが、螺溝構造であっても良い）を刻設した装着筒片７を上下に開放して突設したキャップ本体２と、閉蓋状態において周壁１０が組付き筒３の上端に外嵌すると共に、注出筒片５に密嵌入する栓筒片１２を頂壁１１に垂下設した蓋体９とを、ヒンジ１３を介して連結して構成されている。
【００１７】
計量体１４は、段部１６を介して上半分が大径に、下半分が小径に形成された有底筒形状の本体筒１５の底壁後部に、軸筒片１７を開放立設すると共に、この軸筒片１７の下方に、内鍔２０を介して接続筒片１９を開放垂下設して構成されており、本体筒１５の下半分を口筒部３０に密嵌入して段部１６を口筒部２９上端面上に載置すると共に、上半分の上端をキャップ本体２の頂板４下面に突き当てた状態で組付くことにより、軸筒片１７の上端と装着筒片７の下端との間に開放部１８が形成される。
【００１８】
設定筒体２１は、装着筒片７の下端部および軸筒片１７に密嵌入する回動筒２２の上部外周に、螺合機能部８に螺合する螺合部２４（図示実施例の場合、螺条構造となっている）を刻設すると共に、下部の開放部１８に対向する部分に一つの計量注出口２３を開設し、この回動筒２２の上端に円板状の摘み頭片２５を一体設して構成されている（図３、図４参照）。
【００１９】
この摘み頭片２５の上面には、注出量の程度（例えば、最大と最小）を示す表示２６を適宜の位置に設けると共に、キャップ本体２の頂板４の後端部上面に、この表示２６に従った回動位置の設定の目安となる目印６が設けてある（図２参照）。
【００２０】
図１において、設定筒体２１の右半分は、その下限位置、すなわち注出量最小の状態を示し、左半分は、その状態から１８０°回動して上昇した上限位置、すなわち注出量最大の状態を示している。
【００２１】
吸い上げパイプ２７は、その上端開口部を接続筒片１９に嵌入接続し、下端開口部を容器本体２８の胴部２９底部に位置させて配設されている。
【００２２】
【発明の効果】
本発明は、上記した構成となっているので、以下に示す効果を奏する。
計量体の上面は、一部に注出筒片を開放立設したキャップ本体の頂板で覆われているので、計量操作時に内容液が外部へ飛散したり、ホコリ等の異物が計量体内に侵入する恐れが無く、もって適正で好ましい使用状況を得ることができる。
【００２３】
設定筒体を昇降変位させるための螺合部分は、設定筒体の回動筒上部とキャップ本体の装着筒片上部とに設けてあり、装着筒片の下端部に密嵌入する回動筒部分は計量注出口の上位に位置しているので、計量時にこの螺合部分が内容液中に没することは無く、よって螺合部分への内容液の付着残留や、こびり付き等により設定筒体の回動が阻害される恐れは全く無く、円滑な設定操作性を得ることができる。
【図面の簡単な説明】
【図１】本発明の一実施例を示す、容器本体に組付けた状態の縦断面図。
【図２】図１に示した実施例の、平面図。
【図３】図１に示した実施例における、設定筒体の正面図。
【図４】図３に示した設定筒体の半縦断側面図。
【符号の説明】
１  ；  キャップ体
２  ；  キャップ本体
３  ；  組付き筒
４  ；  頂板
５  ；  注出筒片
６  ；  目印
７  ；  装着筒片
８  ；  螺合機能部
９  ；  蓋体
１０；  周壁
１１；  頂壁
１２；  栓筒片
１３；  ヒンジ
１４；  計量体
１５；  本体筒
１６；  段部
１７；  軸筒片
１８；  開放部
１９；  接続筒片
２０；  内鍔
２１；  設定筒体
２２；  回動筒
２３；  計量注出口
２４；  螺合部
２５；  摘み頭片
２６；  表示
２７；  吸い上げパイプ
２８；  容器本体
２９；  胴部
３０；  口筒部
【図１】
0003858115.tif 000002
【図２】
0003858115.tif 000003
【図３】
0003858115.tif 000004
【図４】
0003858115.tif 000005